【手続補正書】
【提出日】平成19年9月26日(2007.9.26)
【手続補正１】
【補正対象書類名】明細書
【補正対象項目名】特許請求の範囲
【補正方法】変更
【補正の内容】
【特許請求の範囲】
【請求項１】下記の一般式(I) の２‐アミノアルキル‐１，４‐ジアミノベンゼン誘導体：
【化１】
2001199941.tif 000001
〔上式において、
Ｒ１、Ｒ２、Ｒ３およびＲ４は、独立して別々に水素、Ｃ1 ‐Ｃ6 ‐アルキル基、Ｃ1 ‐Ｃ4 ‐ヒドロキシアルキル基、Ｃ2 ‐Ｃ4 ‐ジヒドロキシアルキル基、またはＣ1 ‐Ｃ4 ‐アルコキシ‐（Ｃ1 ‐Ｃ2 ）‐アルキル基を示すか、あるいはＲ１とＲ２が、４員環〜８員環の脂肪族環を形成し、この際、残基Ｒ１〜Ｒ４の少なくとも２つは水素を示し、かつ、Ｒ３とＲ４は同時にＣ1‐Ｃ6 ‐アルキル基ではなく、
Ｒ５は、水素、ハロゲン原子、Ｃ1 ‐Ｃ4 ‐アルキル基、Ｃ1 ‐Ｃ4 ‐ヒドロキシアルキル基、またはＣ1 ‐Ｃ4 ‐アルコキシ基であり、
Ｒ６およびＲ７は、独立して別々に水素、Ｃ1 ‐Ｃ2 ‐アルコキシ基、Ｃ1 ‐Ｃ6 ‐アルキル基、不飽和のＣ1 ‐Ｃ6 ‐アルキル基、Ｃ1 ‐Ｃ4 ‐ヒドロキシアルキル基、Ｃ3 ‐Ｃ4 ‐ジヒドロキシアルキル基、Ｃ1 ‐Ｃ4 ‐アミノアルキル基、Ｃ1 ‐Ｃ4 ‐ジメチルアミノアルキル基、Ｃ1 ‐Ｃ4 ‐アセチルアミノアルキル基、Ｃ1 ‐Ｃ4 ‐メトキシアルキル基、Ｃ1 ‐Ｃ4 ‐エトキシアルキル基、Ｃ1 ‐Ｃ4 ‐シアンアルキル基、Ｃ1 ‐Ｃ4 ‐カルボキシアルキル基、Ｃ1 ‐Ｃ4 ‐アミノカルボニルアルキル基、ピリジルメチル基、フルフリル基、水素添加されたフルフリル基、置換されたピリジル基、下記式(II)の残基：
【化２】
2001199941.tif 000002
下記式(III) の残基：
【化３】
2001199941.tif 000003
下記式(IV)の残基：
【化４】
2001199941.tif 000004
であるか、あるいは、Ｒ６とＲ７が共同して下記式の環：
【化５】
2001199941.tif 000005
を形成し、この際、残基Ｒ６とＲ７の少なくとも１つは水素ではなく、
Ｒ８は、水素、またはＣ1 ‐Ｃ6 ‐アルキル基であり、
Ｒ９は、水素、カルボキシ基、またはアミノカルボニル基であり、
Ｒ１０、Ｒ１１は、独立して別々に水素、ヒドロキシ基、アミノカルボニル基、メチルチオメチル基、フェニル基又はヒドロキシ基で置換されたフェニル残基、または下記式の残基：
【化６】
2001199941.tif 000006
であり、
Ｒ１２、Ｒ１３、Ｒ１４、Ｒ１５、Ｒ１６は、独立して別々に水素、ハロゲン原子、シアノ基、ヒドロキシ基、Ｃ1 ‐Ｃ4 ‐アルコキシ基、Ｃ1 ‐Ｃ4 ‐ヒドロキシアルコキシ基、Ｃ1 ‐Ｃ6 ‐アルキル基、Ｃ1 ‐Ｃ4 ‐アルキルチオエーテル基、メルカプト基、ニトロ基、アミノ基、アルキルアミノ基、ヒドロキシアルキルアミノ基、ジアルキルアミノ基、ジ（ヒドロキシアルキル）アミノ基、（ジヒドロキシアルキル）アミノ基、（ヒドロキシアルキル）アルキルアミノ基、トリフルオロメタン基、‐Ｃ（Ｏ）Ｈ‐基、‐Ｃ（Ｏ）ＣＨ3 ‐基、‐Ｃ（Ｏ）ＣＦ3 ‐基、‐Ｓｉ（ＣＨ3 ）3 ‐基、Ｃ1 ‐Ｃ4 ‐ヒドロキシアルキル基、Ｃ3‐Ｃ4 ‐ジヒドロキシアルキル基を示すか、あるいは、互いに隣り合って位置する残基Ｒ１２〜Ｒ１６の２つが‐Ｏ‐ＣＨ2 ‐Ｏ‐架橋を形成しており、
Ｒ１７は、Ｃ1 ‐Ｃ4 ‐アルキル基、またはＣ1 ‐Ｃ4 ‐ヒドロキシアルキル基であり、
Ｒ１８は、水素、またはＣ1 ‐Ｃ6 ‐アルキル基であり、
Ｒ１９は、１以上の水素、またはヒドロキシ‐、カルボキシ‐、アミノカルボニル‐、またはヒドロキシメチル基であり、
Ｒ２０は、水素、またはＣ1 ‐Ｃ6 ‐アルキル基である〕
、またはこれらの生理学的に温和な水溶性の塩。
【請求項２】前記式(I) において、前記の残基Ｒ５〜Ｒ８の１以上が水素であることを特徴とする、請求項１に記載の２‐アミノアルキル‐１，４‐ジアミノベンゼン誘導体。
【請求項３】前記式(I) において、前記の残基Ｒ１、Ｒ２、Ｒ３およびＲ４が水素であることを特徴とする、請求項１又は２に記載の２‐アミノアルキル‐１，４‐ジアミノベンゼン誘導体。
【請求項４】前記式(I) において、Ｒ８が水素であり、Ｒ６とＲ７が、独立して別々に水素、Ｃ1 ‐Ｃ4 ‐アルキル基、Ｃ1 ‐Ｃ4 ‐ヒドロキシアルキル基、Ｃ2 ‐Ｃ4 ‐ジヒドロキシアルキル基、請求項１に記載の前記式(III) または(IV)の残基であるか、あるいは、Ｒ６とＲ７が共同して下記式の脂肪族性環：
【化７】
2001199941.tif 000007
を形成することを特徴とする、請求項１〜３のいずれか１項に記載の２‐アミノアルキル‐１，４‐ジアミノベンゼン誘導体。
【請求項５】２‐（２，３‐ジヒドロキシプロピル）アミノメチル‐１，４‐ジアミノ‐ベンゼン、２‐〔（２‐アミノ‐エチルアミノ）メチル〕‐１，４‐ジアミノ‐ベンゼン、２‐〔（２‐ヒドロキシエチルアミノ）メチル〕‐１，４‐ジアミノ‐ベンゼン、２‐〔（２，５‐ジアミノ‐ベンジル）‐メチル‐アミノ〕‐エタノール、２‐（２，５‐ジアミノ‐ベンジルアミノ）‐プロパン‐１‐オール、２‐〔（２，５‐ジアミノ‐ベンジル）‐（２‐ヒドロキシ‐エチル）‐アミノ〕‐エタノール、〔１‐（２，５‐ジアミノ‐ベンジル）‐ピロリジン‐２‐イル〕‐メタノール、１‐（２，５‐ジアミノ‐ベンジル）‐ピロリジン‐２‐カルボン酸アミド、２‐〔（４‐メチル‐ピリジン‐２‐イルアミノ）‐メチル〕‐１，４‐ジアミノ‐ベンゼン、２‐（（２‐アミノ‐フェニルアミノ）‐メチル）‐１，４‐ジアミノ‐ベンゼン、２‐（（２‐クロロ‐フェニルアミノ）‐メチル）‐１，４‐ジアミノ‐ベンゼン、２‐（（２‐ジメチル‐アミノ‐フェニルアミノ）‐メチル）‐１，４‐ジアミノ‐ベンゼン、２‐（（２‐フルオロ‐フェニルアミノ）‐メチル）‐１，４‐ジアミノ‐ベンゼン、２‐（（２‐ヒドロキシエチルアミノ‐フェニルアミノ）‐メチル）‐１，４‐ジアミノ‐ベンゼン、２‐（（２‐Ｎ，Ｎ‐ビス（ヒドロキシエチル）‐アミノ‐フェニルアミノ）‐メチル）‐１，４‐ジアミノ‐ベンゼン、２‐（（２‐ピロリジン‐フェニルアミノ）‐メチル）‐１，４‐ジアミノ‐ベンゼン、２‐（（３‐アミノ‐フェニルアミノ）‐メチル）‐１，４‐ジアミノ‐ベンゼン、２‐（（３‐クロロ‐フェニルアミノ）‐メチル）‐１，４‐ジアミノ‐ベンゼン、２‐（（３‐ジメチルアミノ‐フェニルアミノ）‐メチル）‐１，４‐ジアミノ‐ベンゼン、２‐（（３‐フルオロ‐フェニルアミノ）‐メチル）‐１，４‐ジアミノ‐ベンゼン、２‐（（３‐ヒドロキシエチルアミノ‐フェニルアミノ）‐メチル）‐１，４‐ジアミノ‐ベンゼン、２‐（（３‐Ｎ，Ｎ‐ビス（ヒドロキシエチル）アミノ‐フェニルアミノ）‐メチル）‐１，４‐ジアミノ‐ベンゼン、２‐（（３‐ピロリジン‐フェニルアミノ）‐メチル）‐１，４‐ジアミノ‐ベンゼン、２‐（（４‐アミノ‐フェニルアミノ）‐メチル）‐１，４‐ジアミノ‐ベンゼン、２‐（（４‐クロロ‐フェニルアミノ）‐メチル）‐１，４‐ジアミノ‐ベンゼン、２‐（（４‐ジメチルアミノ‐フェニルアミノ）‐メチル）‐１，４‐ジアミノ‐ベンゼン、２‐（（４‐フルオロ‐フェニルアミノ）‐メチル）‐１，４‐ジアミノ‐ベンゼン、２‐（（４‐ヒドロキシエチルアミノ‐フェニルアミノ）‐メチル）‐１，４‐ジアミノ‐ベンゼン、２‐（（４‐Ｎ，Ｎ‐ビス（ヒドロキシエチル）アミノ‐フェニルアミノ）‐メチル）‐１，４‐ジアミノ‐ベンゼン、２‐（（４‐ピロリジン‐フェニルアミノ）‐メチル）‐１，４‐ジアミノ‐ベンゼン、２‐（（２‐（２‐ヒドロキシ）‐エトキシ‐４‐アミノ‐フェニルアミノ）‐メチル）‐１，４‐ジアミノ‐ベンゼン、２‐（（２‐アミノ‐４‐アミノ‐フェニルアミノ）‐メチル）‐１，４‐ジアミノ‐ベンゼン、２‐（（２‐クロロ‐４‐アミノ‐フェニルアミノ）‐メチル）‐１，４‐ジアミノ‐ベンゼン、２‐（（２‐ヒドロキシ‐４‐アミノ‐フェニルアミノ）‐メチル）‐１，４‐ジアミノ‐ベンゼン、２‐（（２‐ヒドロキシエチルアミノ‐４‐アミノ‐フェニルアミノ）‐メチル）‐１，４‐ジアミノ‐ベンゼン、２‐（（２‐メチル‐４‐アミノ‐フェニルアミノ）‐メチル）‐１，４‐ジアミノ‐ベンゼン、２‐（（３‐（２‐ヒドロキシ）‐エトキシ‐４‐アミノ‐フェニルアミノ）‐メチル）‐１，４‐ジアミノ‐ベンゼン、２‐（（３‐アミノ‐４‐アミノ‐フェニルアミノ）‐メチル）‐１，４‐ジアミノ‐ベンゼン、２‐（（３‐クロロ‐４‐アミノ‐フェニルアミノ）‐メチル）‐１，４‐ジアミノ‐ベンゼン、２‐（（３‐ヒドロキシ‐４‐アミノ‐フェニルアミノ）‐メチル）‐１，４‐ジアミノ‐ベンゼン、２‐（（３‐ヒドロキシエチルアミノ‐４‐アミノ‐フェニルアミノ）‐メチル）‐１，４‐ジアミノ‐ベンゼン、２‐（（３‐メチル‐４‐アミノ‐フェニルアミノ）‐メチル）‐１，４‐ジアミノ‐ベンゼン、２‐（（２‐（２‐ヒドロキシ）‐エトキシ‐フェニルアミノ）‐メチル）‐１，４‐ジアミノ‐ベンゼン、２‐（（２‐ヒドロキシ‐フェニルアミノ）‐メチル）‐１，４‐ジアミノ‐ベンゼン、２‐（（３‐（２‐ヒドロキシ）‐エトキシ‐フェニルアミノ）‐メチル）‐１，４‐ジアミノ‐ベンゼン、２‐（（３‐ヒドロキシ‐フェニルアミノ）‐メチル）‐１，４‐ジアミノ‐ベンゼン、２‐（（４‐（２‐ヒドロキシ）‐エトキシ‐フェニルアミノ）‐メチル）‐１，４‐ジアミノ‐ベンゼン、２‐（（４‐ヒドロキシ‐フェニルアミノ）‐メチル）‐１，４‐ジアミノ‐ベンゼン、２‐（フェニルアミノ）‐メチル）‐１，４‐ジアミノ‐ベンゼン、２‐〔５‐アミノ‐４‐（２，５‐ジアミノ‐フェニルアミノ）‐ピラゾール‐１‐イル〕‐エタノール、Ｎ2 ‐（５‐アミノ‐１‐メチル‐１Ｈ‐ピラゾール‐４‐イル）‐１，２，４‐トリアミノ‐ベンゼン、Ｎ2 ‐（５‐アミノ‐１‐イソプロピル‐１Ｈ‐ピラゾール‐４‐イル）‐１，２，４‐トリアミノ‐ベンゼン及びＮ2 ‐（５‐アミノ‐１，３‐ジメチル‐１Ｈ‐ピラゾール‐４‐イル）‐１，２，４‐トリアミノ‐ベンゼンから成るグループより選ばれたものであることを特徴とする、請求項１〜４のいずれか１項に記載の２‐アミノアルキル‐１，４‐ジアミノベンゼン誘導体。
【請求項６】顕色物質とカップラー物質の組み合わせを主剤とした、ケラチン繊維を酸化染色するための薬剤であって、前記薬剤が、顕色物質として、請求項１〜５のいずれか１項に記載の前記式(I) の２‐アミノアルキル‐１，４‐ジアミノベンゼン誘導体の少なくとも１種を含有することを特徴とする、ケラチン繊維の酸化染色用薬剤。
【請求項７】前記薬剤が、前記式(I) の２‐アミノアルキル‐１，４‐ジアミノベンゼン誘導体を０．００５〜２０．０重量％の量にて含有することを特徴とする請求項６に記載の薬剤。
【請求項８】前記のカップラー物質が、２，６‐ジアミノピリジン、２‐アミノ‐４‐〔（２‐ヒドロキシエチル）アミノ〕‐アニソール、２，４‐ジアミノ‐１‐フルオロ‐５‐メチルベンゼン、２，４‐ジアミノ‐１‐メトキシ‐５‐メチルベンゼン、２，４‐ジアミノ‐１‐エトキシ‐５‐メチルベンゼン、２，４‐ジアミノ‐１‐（２‐ヒドロキシエトキシ）‐５‐メチルベンゼン、２，４‐ジ〔（２‐ヒドロキシエチル）アミノ〕‐１，５‐ジメトキシベンゼン、２，３‐ジアミノ‐６‐メトキシピリジン、３‐アミノ‐６‐メトキシ‐２‐（メチルアミノ）‐ピリジン、２，６‐ジアミノ‐３，５‐ジメトキシピリジン、３，５‐ジアミノ‐２，６‐ジメトキシピリジン、１，３‐ジアミノベンゼン、２，４‐ジアミノ‐１‐（２‐ヒドロキシエトキシ）‐ベンゼン、２，４‐ジアミノ‐１，５‐ジ（２‐ヒドロキシエトキシ）‐ベンゼン、１‐（２‐アミノエトキシ）‐２，４‐ジアミノベンゼン、２‐アミノ‐１‐（２‐ヒドロキシエトキシ）‐４‐メチルアミノベンゼン、２，４‐ジアミノフェノキシ酢酸、３‐〔ジ（２‐ヒドロキシエチル）アミノ〕‐アニリン、４‐アミノ‐２‐ジ〔（２‐ヒドロキシエチル）アミノ〕‐１‐エトキシベンゼン、５‐メチル‐２‐（１‐メチルエチル）‐フェノール、３‐〔（２‐ヒドロキシエチル）アミノ〕‐アニリン、３‐〔（２‐アミノエチル）アミノ〕‐アニリン、１，３‐ジ〔（２，４‐ジアミノフェノキシ）‐プロパン、ジ（２，４‐ジアミノ‐フェノキシ）‐メタン、１，３‐ジアミノ‐２，４‐ジメトキシベンゼン、２，６‐ビス（２‐ヒドロキシエチル）アミノトルエン、４‐ヒドロキシインドール、３‐ジメチルアミノフェノール、３‐ジエチルアミノフェノール、５‐アミノ‐２‐メチルフェノール、５‐アミノ‐４‐フルオロ‐２‐メチルフェノール、５‐アミノ‐４‐メトキシ‐２‐メチルフェノール、５‐アミノ‐４‐エトキシ‐２‐メチルフェノール、３‐アミノ‐２，４‐ジクロロフェノール、５‐アミノ‐２，４‐ジクロロフェノール、３‐アミノ‐２‐メチルフェノール、３‐アミノ‐２‐クロロ‐６‐メチルフェノール、３‐アミノフェノール、２‐〔（３‐ヒドロキシフェニル）アミノ〕‐アセトアミド、５‐〔（２‐ヒドロキシエチル）アミノ〕‐２‐メチルフェノール、３‐〔（２‐ヒドロキシエチル）アミノ〕‐フェノール、３‐〔（２‐メトキシエチル）‐アミノ〕‐フェノール、５‐アミノ‐２‐エチルフェノール、２‐（４‐アミノ‐２‐ヒドロキシフェノキシ）‐エタノール、５‐〔（３‐ヒドロキシプロピル）アミノ〕‐２‐メチルフェノール、３‐〔（２，３‐ジヒドロキシ‐プロピル）アミノ〕‐２‐メチルフェノール、３‐〔（２‐ヒドロキシエチル）アミノ〕‐２‐メチルフェノール、２‐アミノ‐３‐ヒドロキシピリジン、５‐アミノ‐４‐クロロ‐２‐メチルフェノール、１‐ナフトール、１，５‐ジヒドロキシナフタレン、１，７‐ジヒドロキシナフタレン、２，３‐ジヒドロキシナフタレン、２，７‐ジヒドロキシナフタレン、２‐メチル‐１‐ナフトールアセテート、１，３‐ジヒドロキシベンゼン、１‐クロロ‐２，４‐ジヒドロキシベンゼン、２‐クロロ‐１，３‐ジヒドロキシベンゼン、１，２‐ジクロロ‐３，５‐ジヒドロキシ‐４‐メチルベンゼン、１，５‐ジクロロ‐２，４‐ジヒドロキシベンゼン、１，３‐ジヒドロキシ‐２‐メチルベンゼン、３，４‐メチレンジオキシフェノール、３，４‐メチレンジオキシアニリン、５‐〔（２‐ヒドロキシエチル）アミノ〕‐１，３‐ベンゾジオクソール、６‐ブロモ‐１‐ヒドロキシ‐３，４‐メチレンジオキシベンゼン、３，４‐ジアミノ安息香酸、３，４‐ジヒドロ‐６‐ヒドロキシ‐１，４（２Ｈ）‐ベンゾキサジン、６‐アミノ‐３，４‐ジヒドロ‐１，４（２Ｈ）‐ベンゾキサジン、３‐メチル‐１‐フェニル‐５‐ピラゾロン、５，６‐ジヒドロキシインドール、５，６‐ジヒドロキシインドリン、５‐ヒドロキシインドール、６‐ヒドロキシインドール、７‐ヒドロキシインドール及び２，３‐インドリンジオンから成るグループより選ばれたものであることを特徴とする、請求項６又は７に記載の薬剤。
【請求項９】前記薬剤が、前記式(I) の２‐アミノアルキル‐１，４‐ジアミノベンゼン誘導体以外に、さらに、少なくとも１種のさらに別の顕色物質を含み、当該顕色物質が、１，４‐ジアミノベンゼン、２，５‐ジアミノトルエン、２，５‐ジアミノフェニルエチルアルコール、４‐アミノフェノールおよびそれらの誘導体、４，５‐ジアミノピラゾール誘導体、およびテトラアミノピリミジン類から選ばれたものであることを特徴とする請求項６〜８のいずれか１項に記載の薬剤。
【請求項１０】前記顕色物質とカップラー物質が、前記染色剤の総量に対して、それぞれ０．００５〜２０重量％の総量にて含有されていることを特徴とする請求項６〜９のいずれか１項に記載の薬剤。
【請求項１１】前記薬剤がさらに、少なくとも１種の直接染料を含有していることを特徴とする請求項６〜１０のいずれか１項に記載の薬剤。
【請求項１２】前記薬剤が毛髪染色剤であることを特徴とする請求項６〜１１のいずれか１項に記載の薬剤。